(57)【要約】【課題】  近年、芯違いの扉が増えている。このような芯違いの扉に対応しうる錠の振れ止め機構、とりわけ大きい扉厚の扉用振れ止め機構の提供が求められている。【解決手段】左右の振れ止めバーの長さを外側扉厚と内側扉厚に合わせ、両振れ止めバーの向きを変えて芯違い扉に対応する振れ止め機構と、振れ止めバーの右バーや左バーに対して必要に合わせて延長バーを付け足すことによって、等芯扉と芯違い扉に自由に対応でき、大きい扉厚の扉にも自由に対応できる振れ止め機構を提供する。【選択図】図１
2008002169.tif 000002
【特許請求の範囲】
【請求項１】
錠ケース（１３）を扉内に固定して、錠ケースが扉内で振れ動くのを防止する振れ止め装置の、錠ケースフロント（３）側に設けた操作部（６）を回して、錠ケースから左右側に振れ止めバーを突き出す構造の振れ止めに於いて、芯違いの扉に使用する為に、２個の振れ止めバーの内の振れ止めバー１（１９）を長くして、振れ止めバー２（２０）を短くした振れ止めで、扉の左右勝手に合わせて逆勝手の扉に使用する場合には、両振れ止めバーの突き出す向きを変えることによって使用することができることを特徴とする錠ケースの振れ止め機構。
【請求項２】
錠ケースフロント（３）側に設けた操作部（６）を回して、錠ケースから左右側に振れ止めバーを突き出す構造の振れ止めに於いて、芯違い扉に使用するために、２個の振れ止めバーの突き出す向きを変えることなく、右バー（３２）や左バー（３１）に延長バー（３４）を取り付けることによって振れ止めバーの長さを足し、延長バーを右バーに付け足すか左バーに付け足すかで芯違い扉の左右勝手に対処しうる振れ止めで、両方のバーに延長バーを取り付けない場合には等芯扉に対応でき、両方のバーに扉の厚さに合わせて延長バーの長さを変えて付け足せば、どのような厚さの扉にも対応できることを特徴とする錠ケースの振れ止め機構。
【発明の詳細な説明】
【技術分野】
【０００１】
錠ケースを扉に取り付けた後に、錠ケースフロント側に設けた操作部を回して錠ケースの左右両側に足を広げ、扉内で錠ケースを固定する技術に関する。
【背景技術】
【０００２】
従来の一般的な振れ止めの仕組みは図１２で示したようなものである。
錠ケースフロント（４３）側に設けた操作部（４４）を回して右バー（４８）と左バー（４９）を広げ、両バーを内外扉板に突き当てて錠ケースを固定する。
右バーと左バーの長さは同じで、必ず等芯扉の厚さの中心位置に固定される。
【０００３】
近年は図１３で示した芯違い扉が増えている。外側扉厚（５１）と内側扉厚（５２）の違う芯違い扉では、従来の振れ止めを使って錠ケースを固定しようとすると図１３のように錠ケースは逆に大きく振れてしまう。そのために、扉の取付けステー（５４）や錠ケースフロントが曲がり、ねじれ、錠が正常に動かなくなる。
【０００４】
芯違い扉に於いて、従来の振れ止めが使えない大きい理由がもう一つ有る。
扉には必ず左右勝手が有り、左右勝手によって芯違いの内側と外側が逆になる事である。左右勝手とは左吊元か右吊元かの違いである。又は押して開けるか引いて開けるかの違いである。
もし図４，５のように左右の振れ止めバーの長さを変えたとしてもそれだけでは左右勝手には対処できず、注文や納品に於いて混乱する問題がある。
【０００５】
芯違い扉では扉芯の外側の厚さと内側の厚さの違いや、比率の違いが扉の種類によって発生する。オーダー扉では１０枚中１０枚が違う場合がある。それらへの対応の難しさもある。
また、従来の振れ止めは扉の厚さが５０ｍｍを超えるような厚い扉に兼用して使える振れ止めが見られない。扉が厚くなると振れ止めバーが扉板に届かなくなる。
【特許文献１】特開２００６−６３７８１
【発明の開示】
【発明が解決しようとする課題】
【０００６】
錠ケースフロント側から操作でき、芯違いの扉に使用でき、左勝手・右勝手に兼用でき、及び扉の厚さの大小に関係なく使える振れ止めを作ることが課題である。
【課題を解決するための手段】
【０００７】
まず扉の厚さと芯違い寸法が一定である１種類のレディメードドアに対して、その扉の芯違いに対応する振れ止めを考える。レディメードドアは１種類の生産単位が、種類毎に数百枚〜数万枚である。このような扉に対しては一定寸法の振れ止めで対処することができる。
問題は、扉の左右勝手に兼用できるようにすることである。
これを実現したのが請求項１記載の振れ止め機構である。
【０００８】
図４，５，６，７に基づいて請求項１記載の機構の仕組みを説明する。
１種類のレディメード扉に対応する場合、外側扉厚（５）の寸法が一定であり、内側扉厚（２６）の寸法が一定である。よって扉の厚さも一定であり、外側扉厚と内側扉厚の比率も一定である。この扉で違う事は左右勝手で外側扉厚と内側扉厚が逆になるだけである。
【０００９】
錠ケース（１３）の、錠ケースフロント（３）側に振れ止めを操作する操作部（６）を設ける。錠ケースに、振れ止めバー軸（１８）を設け、振れ止めバー軸に２個の、振れ止めバー１（１９）と振れ止めバー２（２０）を組み付ける。
振れ止めバー１は扉厚の厚い側に対応し、振れ止めバー２は扉厚の薄い側に対応する。図４では外側扉厚（２５）が薄く、内側扉厚（２６）が厚い。図では操作部を右に回すとスライダー（１７）が右に移動し、スライダーが２個の振れ止めバーを押し、両バーは錠ケースから左右に平等に広がり、突き出す。
【００１０】
図５が両バーを扉内一杯に広げて錠ケースを扉芯（２４）に固定した事を示す。振れ止めバー１の長さと振れ止めバー２の長さを図の扉の芯違い寸法に合わせて作る事で、錠ケース芯（２４）を扉芯に固定する事が出来る。
以上の請求項１記載の振れ止め機構は、扉の種類毎に振れ止めバーの寸法を外側扉厚（２５）と内側扉厚（２６）に合わせて作ればよい。
【００１１】
請求項１記載の、振れ止めの左右勝手に対応する仕組みを図６，７に基づいて説明する。
操作部（６）を左側に一杯に回すとスライダー（１７）が左側一杯に寄り、スライダーが２個の振れ止めバー（１９）（２０）と接触しなくなる。振れ止め向き替え（２２）のネジ（２３）を外すと２個の振れ止めバーは左右逆側に向ける事が可能になる。図６は扉を書いていない。この作業は錠ケースを扉に取り付ける前に、扉から外した状態で行う。
【００１２】
図７が図４，５と逆勝手の扉に対して振れ止めバーの向きを変え、錠ケース（１３）を扉芯（２４）に固定した事を示す。
扉の勝手が逆になった場合は外側扉厚（２５）と内側扉厚（２６）が逆になるだけであり、振れ止めバーの向きを変えるだけで兼用して使う事が出来る。
【００１３】
請求項２記載の振れ止め機構を図８，９，１０，１１に基づいて説明する。
これは扉の種類毎に対応でき、等芯扉と芯違い扉の両方に対応でき、扉の左右勝手に対応できるものである。
特徴は２個の振れ止めバーの向きを変える事なく、２個の内の右バー（３１）や左バー（３２）に必要に応じて必要な長さの延長バー（３４）を足して使う事である。また、必要な長さの延長バーを足す事で大きい扉厚にも対応できる。
【００１４】
この振れ止め機構を等芯扉に使う場合は、図８で示したように両バー共に延長バーを足さない。
もし扉厚の大きい等芯扉に使用する時は、両バーに同じ長さの延長バーを付け足して使用する。
外側扉厚（２５）と内側扉厚（２６）に合わせた延長バーを、右バーや左バーに付け足す事でどんな扉厚や内外扉厚の比率の違いにも対応する事ができる。
【００１５】
図９は、外側扉厚（２５）が薄く、内側扉厚（２６）が厚い為に内側に突き出す右バー（３２）に延長バー（３４）を取り付けて足した事を示す。
図１０は、外側扉厚（２５）が厚く、内側扉厚（２６）が薄いために外側に突き出す左バー（３１）に延長バー（３４）を足した事を示す。
請求項２記載の振れ止め機構では、多様な扉の厚さや芯違い比率に合わせて長さの違う数種類の延長バーや、厚さの違う数種類の扉厚調整スペーサー（３６）を延長バーに組み合わせて使い分ける。
【発明の効果】
【００１６】
本発明に係る振れ止め機構により、扉内で錠ケースが振れ動くのを防止することができる。しかも、錠ケースフロント側から容易に操作でき、芯違いの扉に使用でき、左勝手・右勝手に兼用でき、及び扉の厚さの大小に関係なく使用することができる
【発明を実施するための最良の形態】
【００１７】
請求項１記載の振れ止め機構の仕組みと使い方を図４，５，６，７に基づいて説明する。
この機構は外側扉厚（２５）と内側扉厚（２６）の多様な厚さの違いに対応するものではない。一定の扉厚で、外側扉厚と内側扉厚が逆となったいわゆる左右勝手が逆になった時に左右勝手兼用に利用できる振れ止め機構である。
【００１８】
錠ケース（１３）から左右側に突き出す２個の振れ止めバーに関して、内１個の振れ止めバー１（１９）を長くして扉厚の厚い側に向け、１個の振れ止めバー２（２０）を短くして扉厚の薄い側に向け、両振れ止めバーを開いて両扉板に当てて錠ケースを芯違いの扉の扉芯（２４）に固定する。
逆勝手の扉に対しては２個の振れ止めバーの向きを変える事で対応する。
一種類の扉で左右勝手が逆の場合、扉の内外が逆になる事であり、振れ止めバーの向きを変えることで対応できる。
【００１９】
請求項１記載の振れ止めの使い方を説明する。
図４のように錠ケース（１３）を扉に取り付ける。錠ケースフロント（３）をフロントベース（１１）から外した状態で操作部（６）を右に回すと両振れ止めバーが広がり、図５状態となる。錠ケースフロント（３）をフロントベース（１１）に取り付けると操作部（６）の回転が固定される。
【００２０】
図７のような逆勝手の扉に使用するときは、錠ケースを扉に取り付ける前に図６のように錠ケースフロント（３）をフロントベース（１１）から外して操作部（６）を左方向に回すとともに、振れ止め向き替え（２２）を外し、振れ止めバー１（１９）と振れ止めバー２（２０）の向きを逆方向に変える。
振れ止め向き替え（２２）は、操作部（６）を誤って左方向に回してしまったような場合に対応するために、有った方が良いものである。
向きを変えたら、振れ止め向き替えを取付け、錠ケースを図７のように扉に取付け、操作部を回して両振れ止めバーを広げて錠ケースを扉芯に固定する。
その後、フロントベースに錠ケースフロントを取り付けると操作部の回転が固定され、振れ止めの緩みを防止する。
【００２１】
請求項２記載の振れ止め機構の仕組みと使い方を図８〜１１に基づいて説明する。
この機構は、扉の左右勝手の対応に対して振れ止めバーの向きを変えない。
そのために、振れ止めバーを右バー（３２）と左バー（３１）として表現する。
この機構の最大の特徴は、右バーと左バーに対して、必要に応じて必要な長さの延長バー（３４）を付け足すという点である。
その結果、等芯の扉と芯違いの扉の両方に使用でき、芯違い扉の逆勝手扉にも区別無く使用でき、いくら大きい扉厚の扉にも区別無く使用できるようになる。
【００２２】
等芯扉に使った例が図８である。
等芯扉で、扉厚の厚い扉に対しては右バーと左バーの両方に対して扉厚に合わせた同じ長さの延長バーを付け足して取り付ける。
右バー（３２）側の扉厚が厚い図９の扉では、右バーのみに延長バー（３４）を付け足す。
左バー（３１）側の扉厚が厚い図１０の扉では、左バーのみに延長バー（３４）を付け足す。
【図面の簡単な説明】
【００２３】
【図１】発明の振れ止め機構を使った錠を、芯違い扉に取り付けた上半分の斜視図である。
【図２】図１のＡＡ断面で、請求項１記載の振れ止め部分を示す。
【図３】Ａ      図２のＣ位置、図４のＣ位置縦断面で、スライダー部分を示す。  Ｂ      図２のＤ位置、図４のＤ位置縦断面で、振れ止めバー軸部分を示す。  Ｃ      図２のＥ位置、図４のＥ位置縦断面で、振れ止め向き替え部分を示す。
【図４】図１のＢＢ断面で、図２のＢ位置水平断面を示し、振れ止めバーを閉じた状態を示す。
【図５】図４から、振れ止めバーを開いて錠ケースを扉芯に固定したことを示す。
【図６】振れ止めバーの向きを変える操作を示す。
【図７】逆勝手の扉に、振れ止めバーの向きを変えて錠ケースを扉芯に固定したことを示す。
【図８】請求項２記載の振れ止めバー機構で、等芯扉の扉芯に錠ケースを固定したことを示す。
【図９】芯違い扉で、右バーに延長バーを足し、扉芯に錠ケースを固定したことを示す。
【図１０】逆勝手扉で、左バーに延長バーを足し、扉芯に錠ケースを固定したことを示す。
【図１１】Ａ      図８のＦ位置縦断面で、振れ止めの振れ止めバー軸部分を示す。    Ｂ      振れ止めのバーの輪切り断面形状を示す。    Ｃ      延長バーをネジ側から見た形状を示す。
【図１２】従来の一般的な振れ止めの仕組みを示す。
【図１３】従来の一般的な振れ止めを芯違い扉に使用したときの様子を示す。
【符号の説明】
【００２４】
１        外側扉板
２        内側扉板
３        錠ケースフロント
４        デッドボルト
５        フロント取付けネジ
６        操作部
７        サムターン筒
８        サムターンツマミ
９        戸先
１０      取付けステー
１１      フロントベース
１２      取付けネジ
１３      錠ケース
１４      シリンダー，サムターン取付け穴
１５      操作部軸
１６      軸ネジ
１７      スライダー
１８      振れ止めバー軸
１９      振れ止めバー１
２０      振れ止めバー２
２１      ワッシャー
２２      振れ止め向き替え
２３      ネジ
２４      扉芯と錠ケース芯
２５      外側扉厚
２６      内側扉厚
２７      操作部固定穴
２８      ネジ穴
３１      左バー
３２      右バー
３３      ネジ穴
３４      延長バー
３５      ネジ
３６      扉厚調整スペーサー
４１      外側扉板
４２      内側扉板
４３      錠ケースフロント
４４      操作部
４５      錠ケース
４６      スライダー
４７      振れ止めバー軸
４８      右バー
４９      左バー
５０      扉芯と錠ケース芯
５１      外側扉厚
５２      内側扉厚
５３      取付けネジ
５４      取付けステー
【図１】
2008002169.tif 000003
【図２】
2008002169.tif 000004
【図３】
2008002169.tif 000005
【図４】
2008002169.tif 000006
【図５】
2008002169.tif 000007
【図６】
2008002169.tif 000008
【図７】
2008002169.tif 000009
【図８】
2008002169.tif 000010
【図９】
2008002169.tif 000011
【図１０】
2008002169.tif 000012
【図１１】
2008002169.tif 000013
【図１２】
2008002169.tif 000014
【図１３】
2008002169.tif 000015